(57)【特許請求の範囲】
【請求項１】
複数の映像処理機能を有すると共に当該複数の映像処理機能にそれぞれ対応した複数の操作キーを有し、当該操作キーが操作されることにより当該操作キーに対応する上記映像処理機能による映像処理を実行する映像処理装置において、
所望の操作キーを上記複数の操作キーから選択させると共に所望の映像処理機能を上記複数の映像処理機能から選択させ、当該選択された操作キーに対して当該選択された映像処理機能を実行可能な状態で割り付ける割付手段と、
上記選択された操作キーと上記割り付けられた映像処理機能との対応関係を示す対応情報を記録する外部記憶手段と、
上記外部記憶手段に上記対応情報を書き込み、また上記外部記憶手段から上記対応情報を読み込む入出力手段と、
所定の読出操作を受け付けた際、上記入出力手段により上記外部記憶手段から上記対応情報を読み込ませ、上記割付手段により当該対応情報に基づいて上記操作キーに上記映像処理機能を割り付けさせる制御手段と
を具えることを特徴とする映像処理装置。
【請求項２】
上記外部記憶手段は上記映像処理装置に対して着脱自在なメモリカードでなる
ことを特徴とする請求項１に記載の映像処理装置。
【請求項３】
上記外部記憶手段は、
各々異なる設定の対応関係でなる複数の上記対応情報を記憶する
ことを特徴とする請求項１に記載の映像処理装置。
【発明の詳細な説明】
【０００１】
【目次】
以下の順序で本発明を説明する。
産業上の利用分野
従来の技術（図６）
発明が解決しようとする課題
課題を解決するための手段
作用
実施例（図１〜図５）
（１）操作パネルの構成
（２）映像処理装置内の回路構成
（３）他の実施例
発明の効果
【０００２】
【産業上の利用分野】
本発明は映像処理装置に関し、例えば映像を編集する際に用いられる映像処理装置に適用して好適なものである。
【０００３】
【従来の技術】
従来、この種の映像処理装置は映像の編集作業、放送の送出又は複写等の映像を処理する種々の用途に用いられ、入力される映像情報信号を所定の処理手順に基づいて処理することにより、映像処理された映像情報信号を形成して出力するようになされている。
【０００４】
すなわち図６に示すように、映像処理装置１において起動時にＲＯＭ（リードオンリーメモリ）２から送出される初期設定プログラムを読み込んだ制御装置３はこれに基づく設定手順を実行し、表示装置４の画面上に所定の機能項目を表示するようになされている。また再生装置５は映像処理すべき映像情報信号を、制御装置３に送出すると共に再生装置５に接続されたモニタ（図示せず）に送出して当該モニタ上に映像を表示させるようになされている。
【０００５】
ここでオペレータはモニタ（図示せず）上に表示される映像を視聴することにより映像処理すべき部分を確認すると共に、表示装置４の画面上に表示される所定の機能項目から所望の映像処理機能を選択して入力装置（以下これを操作キーと呼ぶ）６を操作する。操作キー６はオペレータにより押圧されることで選択された映像処理機能に応じたコマンド信号を制御装置３に送出するようになされている。
【０００６】
さらに制御装置３は操作キー６より送出されたコマンド信号を入力し、再生装置５から入力される映像情報信号を入力されたコマンド信号に応じた映像処理機能で映像処理して記録装置７に送出するようになされている。また記録装置７は制御装置３から送出された映像処理済の映像情報信号を記録するようになされている。ここで制御装置３はコマンド信号が入力されると、このコマンドに応じた映像処理機能の処理手順をＲＯＭ２より随時読み出すようになされている。
【０００７】
かくして映像処理装置１は入力される映像情報信号をオペレータの所望する映像処理機能により映像処理し、映像処理した映像情報信号を記録装置７により記録するようになされている。
【０００８】
ところでこの種の映像処理装置１では、その用途に応じて用いられる機能が異なるため各用途毎に用いられる映像処理機能が限定される。例えば映像の編集作業において細かい編集を要する作業では多数の機能を用いるが、簡易な編集作業では用いる機能は少数である。従つて実際上、用いられる操作キー６は少数で足りることになる。また編集作業で用いられる機能は他の映像処理作業（例えば放送の送出）では殆ど用いられず、代わりに別の機能（スイツチヤ等）を用いて映像処理作業を実行する。
【０００９】
すなわち簡易編集や他の映像処理作業で作業を実行する上で用いない機能は不要である。ところがこれらの不要な操作キー６は作業で用いられるその他の操作キー６に隣接しており、オペレータが誤つて押圧するとそれに対応した映像処理機能が実行されてしまう。従つて不要な操作キー６はオペレータの誤操作の原因となる。
【００１０】
そのためこの種の映像処理装置１においては、各映像処理機能がそれぞれどの操作キー６に割り付けられているかを示す設定情報（以下、これを対応情報と呼ぶ）をオペレータの指示入力により変更することにより、各映像処理機能と各操作キー６との対応関係を変更すると共に不要な機能を削除し得るようになされている。因みに変更された対応情報は装置内部の記憶回路（図示せず）に記憶される。
【００１１】
かくして映像処理装置１は用途に応じてオペレータが対応情報を変更することによりオペレータが操作し易いように各映像処理機能を各操作キー６に割り付けできると共に少数の操作キー６のみで作業し得る。これによりこの映像処理装置１ではオペレータは容易な操作で映像処理作業ができ、かつ誤操作を防止し得る。
【００１２】
【発明が解決しようとする課題】
ところでかかる構成の映像処理装置１においてはオペレータにより設定された対応情報はその装置にしか記憶できないという問題がある。すなわちある映像処理装置で設定した各映像処理機能と各操作キー６との対応はその映像処理装置固有のものである。
【００１３】
例えばある映像処理装置で途中まで映像処理作業を行つた後に別の映像処理装置を用いて映像処理作業を続行しようとしても、初めに用いた映像処理装置と他の映像処理装置とは対応情報が異なる。そのため初めに用いた映像処理装置と他の映像処理装置とは各操作キー６に対応する映像処理機能も異なり、初めの映像処理装置を用いていたオペレータには操作し難いものとなつている。
【００１４】
このように各映像処理装置はそれを用いるオペレータの操作し易いように設定がなされているため操作方法において互換性の無いものとなつている。
【００１５】
このためある映像処理装置を用いていたオペレータが別の映像処理装置を用いる場合、初めに用いていた装置と同じ操作方法でこの装置を使用するには対応情報を変更しなければならない。しかし映像処理装置を替える度に対応情報の変更操作を行うことは操作上で煩雑さをまねき、結果としてオペレータの誤操作の原因となると共に作業効率が低下する問題となる。
【００１６】
本発明は以上の点を考慮して、複数の映像処理装置において、編集操作及び一般的な操作の作業効率を向上し得る映像処理装置を提案しようとするものである。
【００１７】
【課題を解決するための手段】
複数の映像処理機能を有すると共に当該複数の映像処理機能にそれぞれ対応した複数の操作キーを有し、当該操作キーが操作されることにより当該操作キーに対応する上記映像処理機能による映像処理を実行する映像処理装置において、所望の操作キーを複数の操作キーから選択させると共に所望の映像処理機能を複数の映像処理機能から選択させ、当該選択された操作キーに対して当該選択された映像処理機能を実行可能な状態で割り付ける割付手段と、選択された操作キーと割り付けられた映像処理機能との対応関係を示す対応情報を記録する外部記憶手段と、外部記憶手段に上記対応情報を書き込み、また上記外部記憶手段から上記対応情報を読み出す入出力手段と、所定の読出操作を受け付けた際、入出力手段により外部記憶手段から対応情報を読み出させ、割付手段により当該対応情報に基づいて操作キーに映像処理機能を割り付けさせる制御手段とを設けるようにした。
【００１８】
【作用】
映像処理装置内で設定される対応情報を外部記憶手段に書き込めるようにすると共に外部記憶手段より映像処理装置内に読み込んだ対応情報に基づき各操作キーに実行可能な状態で割り付ける映像処理機能を変更するようにする。これにより対応情報に容易に互換性を持たせるようにでき、この結果、複数の映像処理装置で編集操作及び一般的な操作の作業効率を向上し得る。
【００１９】
【実施例】
以下図面について本発明の一実施例を詳述する。
【００２０】
（１）操作パネルの構成
図１は複数の映像処理機能を有すると共に当該複数の映像処理機能のそれぞれに対応した複数の操作キーを有し、所定の操作キーを押圧することにより操作キーに対応する映像処理機能による処理を実行する映像処理装置１０の操作パネル２０を示し、当該操作パネル２０より送出されるコマンド信号によつて映像処理装置１０の内部状態を変更し得るようになされている。
【００２１】
すなわち操作パネル２０は表示装置４に映像処理機能の機能項目を画面表示し、表示される機能項目をオペレータが選択して操作キー６を操作することにより、選択した機能項目に応じたコマンド信号を映像処理装置１０に入力し得るようになされている。また表示装置４は選択キー（図示せず）を押圧することで、機能項目を表示する画面と対応情報を変更するための画面とを選択的に切り替えて表示し得るようになされている。
【００２２】
さらにスロツト形状でなる入出力手段（以下これをスロツトと呼ぶ）２１はメモリカード２２を装脱着できると共に、メモリカード２２と入出力装置２３を電気的に接続できるようになされている。
【００２３】
かくして操作パネル２０は操作キー６を操作することで所望の映像処理機能に応じたコマンド信号を映像処理装置１０に選択入力できるようになされている。またスロツト２１を介して入出力装置２３とメモリカード２２とのデータの入出力をし得るようになされている。これによりオペレータは操作パネル２０を介して映像処理装置１０にデータ及びコマンド信号を入出力することができる。
【００２４】
（２）映像処理装置内の回路構成
図６との対応部分に同一符号を付して示す図２において、１０は全体として操作パネル２０より送出されるコマンド信号に応じた映像処理を、入力される映像信号に施して出力する映像処理装置を示す。
【００２５】
映像処理装置１０は図６と同様に形成されたＲＯＭ２、制御装置３、表示装置４、再生装置５、操作キー６及び記録装置７と、対応情報を記録する外部記憶手段として用いるメモリカード２２と、メモリカード２２に記録されている対応情報を読み出し、また映像処理装置１０内に予め設定されている対応情報をメモリカード２２に書き込む入出力装置２３と、メモリカード２２から読み込んだ対応情報を一時記憶するＲＡＭ２４とから構成されている。ここで表示装置４、操作キー６及び入出力装置２３は操作パネル２０上に配置されており、各々制御装置３と接続されている。
【００２６】
すなわち入出力装置２３はメモリカード２２がスロツト２１（図１）に挿入された状態でオペレータが複数の操作キー６を選択操作することにより、制御装置３から送出されるコマンド信号によつてメモリカード２１に記憶されている対応情報を読み込むようになされている。また入出力装置２３はオペレータの操作により映像処理装置１０内で設定される対応情報をメモリカード２２に書き込むようになされている。
【００２７】
入出力装置２３はメモリカード２２から読み込んだ対応情報をＲＡＭ（ランダムアクセスメモリ）２４に送出し、ＲＡＭ２４はこの対応情報を一時記憶するようになされている。またＲＡＭ２４は一時記憶した対応情報を制御装置３が送出するコマンド信号により制御装置３に送出するようになされている。制御装置３はＲＡＭ２４から読み出した対応情報に基づく機能項目を表示装置４に表示し、また対応情報に基づいて映像処理機能を各操作キー６に割り付けるようになされている。
【００２８】
かくして映像処理装置１０はメモリカード２２から読み込んだ対応情報に基づいて、機能項目を表示すると共に映像処理機能の操作キー６への割り付けをするようになされている。これにより映像処理装置１０は容易に映像処理機能を各操作キー６に割り付けられる。
【００２９】
さらにオペレータが各操作キー６に割り付ける映像処理機能を変更したい場合は、表示装置４に表示される画面を切り替えて機能設定の変更画面を表示させ各操作キー６を操作することで対応情報を変更できるようになされている。また変更した対応情報はスロツト２１（図１）にメモリカード２２を挿入し、各操作キー６を操作することでメモリカード２２に記憶させることができるようになされている。
【００３０】
かくして映像処理装置１０で設定される対応情報は機能設定の変更画面上で操作キー６を操作することにより設定変更できる。またメモリカード２２に書き込まれる対応情報は他の映像処理装置で読み込むことで、当該映像処理装置１０と同じ対応情報に変更できるようになされている。これにより映像処理装置１０はオペレータが対応情報を任意に変更できると共に複数の映像処理装置において対応情報に容易に互換性を持たせるようにし得る。
【００３１】
以上の構成において、選択キーであるPF1 キーを押すことにより送出されるコマンド信号は制御回路３に送出され、制御回路３はこのコマンド信号により表示装置４の画面上に機能のメニユー一覧を選択的に切替え表示する（図３）。
【００３２】
例えば簡易編集作業のために映像、音声及びタイムコードのインサート編集のみを実行する場合は、このメニユー画面において操作キー６を選択操作することで不要な機能を削除する。ここではF1〜F3及びF10 の機能を削除する（図４のOUT1）。その後、F4〜F9キーに所望の機能を割り付ける（図４のIN1 ）。ここで所望の機能を各操作キー６に割り付けるためにオペレータはメニユー画面の切替えをする。メニユー画面はオペレータが選択キーであるPF1 キーを再度押すことにより切り替え表示できるようになされている。
【００３３】
切り替えられたメニユー画面は、各操作キー６の名称、各操作キー６に現在割り付けられている機能の一覧及び選択できる機能一覧を表示する（図５）。この画面上でオペレータは各操作キー６について、新たな機能を機能一覧から選択して現在割り付けられている機能と切り替える。
【００３４】
ここでは操作キー６としてF4キーを選択する。F4キーには現在VIDEO GAINの機能が割り付けられている。この後、F4キーに割り付ける機能としてINSERT TC を機能一覧から選択することで新たな機能の割り付けがなされる（図５のSEL1）。同様に機能内容の設定も変更する。ここではPRESETと設定されているが、機能の切り替え（VIDEO GAIN→INSERT TC)に伴い機能内容の設定もONに変更する。
【００３５】
かくして映像処理装置１０は設定変更画面に切り替えた状態で操作キー６を操作することにより、操作キー６に割り付ける映像処理機能を任意に変更し得るようになされている。これによりオペレータは映像処理作業をする上でオペレータ自身が操作し易いように対応情報を変更できる。
【００３６】
以上の構成によれば、メモリカード２２を設けて対応情報を記憶させるようにすると共に、メモリカード２２から読み出した対応情報により操作キー６への映像処理機能の割り付けを変更するようにしたことにより、対応情報に容易に互換性を持たせることができ、この結果、複数の映像処理装置において編集操作及び一般的な操作の作業効率を向上し得る。
【００３７】
（３）他の実施例
なお上述の実施例においては、複数の映像処理機能と複数の操作キー６との対応関係を示す対応情報を記録するメモリカード２２に、映像処理装置１０内で設定された対応情報（すなわち一種類の設定）のみを記憶させる場合について述べたが、本発明はこれに限らず、一枚のメモリカード２２に各々異なる設定の対応関係でなる複数の対応情報を記憶させるようにしても良い。これにより映像処理装置１０は簡易編集の場合、また放送の送出の場合、というように用途にあわせて対応情報を容易に切り替えて用いることができる。
【００３８】
また上述の実施例においては、メモリカード２２をスロツトを用いて装置に挿入し、メモリカード２２に記憶された対応情報を読み込ませるようにしたが、本発明はこれに限らず、例えばメモリカード２２及びメモリカード２２から対応情報を読み出し、またメモリカード２２に対応情報を書き込む入出力装置２３に赤外線等の無線方法による信号伝送手段を設けて対応情報の書き込み及び読み出しが無線伝送で行えるにしてもよい。これによりメモリカード２２は映像処理作業で用いる装置を替える度に装置に抜き差しする必要が無くなるため耐久性及び操作性を向上でき、かつどのような形状においても形成し得る。また映像処理装置１０においてメモリカード２２を読み込むための装置部を不要にできるために当該空間を有効に利用し得る。
【００３９】
【発明の効果】
上述のように本発明によれば、映像処理装置内で設定される対応情報を外部記憶手段に書き込むようにすると共に、外部記憶手段より読み込んだ対応情報に基づき各操作キーに実行可能な状態で割り付ける映像処理機能を変更するようにする。これにより対応情報に容易に互換性を持たせることができ、この結果、複数の映像処理装置において編集操作及び一般的な操作の作業効率を向上し得る映像処理装置が実現できる。
【図面の簡単な説明】
【図１】本発明による映像処理装置の操作パネルを示す略線図である。
【図２】本発明による映像処理装置を示すブロツク図である。
【図３】対応情報を変更するためのメニユー画面（変更前）を説明するために供する略線図である。
【図４】対応情報を変更するためのメニユー画面（変更後）を説明するために供する略線図である。
【図５】対応情報を変更するためのメニユー画面（機能選択画面）を説明するために供する略線図である。
【図６】従来の映像処理装置を示すブロツク図である。
【符号の説明】
１、１０……映像処理装置、２……ＲＯＭ、３……制御装置、４……表示装置、５……再生装置、６……操作キー（入力装置）、７……記録装置、２０……操作パネル、２１……スロツト、２２……メモリカード、２３……入出力装置、２４……ＲＡＭ。
【図１】
0003664322.tif 000002
【図２】
0003664322.tif 000003
【図３】
0003664322.tif 000004
【図４】
0003664322.tif 000005
【図５】
0003664322.tif 000006
【図６】
0003664322.tif 000007